(57)【要約】【課題】小物の数等に適した引掛具又は引掛具ユニットとして利用することができ、保管が容易で且つ外観及び安全性を向上することができる引掛具及び引掛具ユニットを提供する。【解決手段】被取付体に取り付ける取付部６と、小物を引っ掛けるための引掛部７を備えた引掛具である。被嵌着部１３と、他の引掛具２の被嵌着部１３に着脱自在に嵌着して引掛具２同士を連結するための嵌着部１６を備えている。【選択図】図１
2010284324.tif 000002
【特許請求の範囲】
【請求項１】
被取付体に取り付ける取付部と、小物を引っ掛けるための引掛部を備えた引掛具において、被嵌着部と、他の引掛具の被嵌着部に着脱自在に嵌着して引掛具同士を連結するための嵌着部を備えていることを特徴とする引掛具。
【請求項２】
被取付体に取り付ける取付部と、小物を引っ掛けるための引掛部とを備えた引掛具を複数具備し、各引掛具が引掛具同士を連結するための被嵌着部を備え、各引掛具がその被嵌着部で他の引掛具に着脱自在に嵌着されて互いに連結されることを特徴とする引掛具ユニット。
【発明の詳細な説明】
【技術分野】
【０００１】
本発明は鍵等の小物を掛けるための引掛具及び引掛具ユニットに関する。
【背景技術】
【０００２】
従来から、壁やホワイトボード等からなる被取付体に取り付けられて、鍵等の小物を掛けるための引掛具ユニットが利用されている。例えば特許文献１に開示される引掛具ユニットは、被取付体に取り付けられる取付部に小物を引っ掛けるための鉤状の引掛部が複数設けられている。
【先行技術文献】
【特許文献】
【０００３】
【特許文献１】実用新案登録第３１０７２２８号公報
【発明の概要】
【発明が解決しようとする課題】
【０００４】
ところで特許文献１の引掛具ユニットは、取付部に多数の引掛部が設けられているために全体としてはサイズが大きく、引っ掛ける小物が少数である場合には適していない。
【０００５】
また、従来、特許文献１と同様の引掛具ユニットにおいて、取付部の引掛部間の部位に切断用溝を形成し、該切断用溝を境にして取付部を手で折って切断することで、引掛部を１個備えた分割体を複数形成できるようにしたものも利用されている。
【０００６】
しかし、上記のように取付部を手で折ることで得られた分割体は、綺麗な切断面になり難く、また、この切断面に鋭利な部分ができて怪我をする恐れもある。
【０００７】
本発明は上記従来の事情に鑑みてなされたものであって、小物の数等に適した引掛具又は引掛具ユニットとして利用することができ、保管が容易でかつ外観及び安全性を向上することができる引掛具及び引掛具ユニットを提供することを課題とする。
【課題を解決するための手段】
【０００８】
上記課題を解決するために本発明の引掛具は、被取付体に取り付ける取付部６と、小物を引っ掛けるための引掛部７を備えた引掛具において、被嵌着部１３と、他の引掛具２の被嵌着部１３に着脱自在に嵌着して引掛具２同士を連結するための嵌着部１６を備えていることを特徴とする。
【０００９】
また、本発明の引掛具ユニットは、被取付体に取り付ける取付部６と、小物を引っ掛けるための引掛部７とを備えた引掛具２を複数具備し、各引掛具２が引掛具２同士を連結するための被嵌着部１３を備え、各引掛具２がその被嵌着部１３で他の引掛具２に着脱自在に嵌着されて互いに連結されることを特徴とする。
【００１０】
上記構成を有する引掛具２及び引掛具ユニット１にあっては、引掛部７に鍵等の小物を引掛けて利用することができる。そして、引掛具２は嵌着部１６を他の引掛具２の被嵌着部１３に着脱自在に嵌着して連結することで、小物が多数ある場合等に適した引掛部７を多数有する引掛具ユニット１として利用することができ、また、複数の引掛具２を連結してまとめて保管することもできる。また、引掛具ユニット１は引掛具２の嵌着部１６を他の引掛具２の被嵌着部１３から取り外して分離することで、小物が少数ある場合等に適した引掛具２として利用することができる。また、引掛具２の嵌着部１６を被嵌着部１３から取り外すだけで引掛具２を容易に分離することができ、切断等によって得られるものと比べて、外観が綺麗で、また、鋭利な部分が形成されず安全性が高いものとなる。
【発明の効果】
【００１１】
本発明の引掛具及び引掛具ユニットにあっては、小物の数等に適した引掛具又は引掛具ユニットとして利用することができ、保管が容易で且つ外観及び安全性を向上することができる。
【図面の簡単な説明】
【００１２】
【図１】本発明の実施の形態の一例の引掛具ユニットの背面図である。
【図２】同上の引掛具ユニットの正面図である。
【図３】同上の引掛具の斜視図である。
【図４】同上の引掛具を示し、（ａ）は連結体を取り付けた引掛具の背面図であり、（ｂ）は連結体を取り外した引掛具の背面図である。
【発明を実施するための形態】
【００１３】
以下、図１乃至図４に基づいて本発明の実施形態につき説明する。図１及び図２に示す本実施形態の引掛具ユニット１は、ホワイトボードやスチール製キャビネットのようなスチール製の機器等からなる被取付体に着脱自在に取り付けられ、鍵掛けとして使用されるものである。
【００１４】
引掛具ユニット１は着脱自在に連結される複数の引掛具２で構成され、図示例の引掛具ユニット１は左右方向に一列に並べて連結される３個の引掛具２で構成されている。図３及び図４に示すように各引掛具２は引掛具本体３と引掛具本体３に着脱自在に取り付けられる連結体５とからなる。なお、一端に配置される引掛具２は引掛具本体３のみで構成されるもの、または引掛具本体３と連結体５とで構成されるもののいずれであってもよい。
【００１５】
各引掛具２の引掛具本体３は引っ掛けられる小物の用途や種類等に応じて容易に分類できるよう後述の取付部本体８の色が異ならせてあるが、その他は同一の構成を有するものである。各引掛具本体３は、主として被取付体の鉛直面に取り付けられる取付部６と、取付部６に設けられた引掛部７と、で構成されている。
【００１６】
取付部６はＡＢＳ等の合成樹脂からなる取付部本体８の後面にマグネット９を設けて構成されている。取付部本体８は正面視略矩形状に形成され、取付部本体８の下端部には前方に向けて突出する山形の突出部１０が左右に亘って形成されている。図４（ｂ）のように突出部１０の後面には左右に長い断面Ｖ字状の溝１２が形成されている。溝１２の左右両端は突出部１０の両側端部によって閉塞されている。
【００１７】
溝１２の奥側端部を構成する突出部１０の頂部には被嵌着部１３として後方に突出する筒状のボス部１３ａが左右方向に複数形成され、図示例では等間隔で計４個のボス部１３ａが取付部本体８と一体に形成されている。各ボス部１３ａの中央には後方に開口した被嵌着穴１４が形成されている。
【００１８】
取付部本体８の突出部１０より上方に位置する上部１１は薄板状に形成され、該上部１１の後面に沿って板状のマグネット９が貼着されている。マグネット９は引掛具２を前方から見たときに上部１１によって隠されるよう上部１１よりも僅かに小さい矩形状に形成されている。引掛具２を単独で被取付体に取り付けるには、マグネット９の後面を被取付体の一面に当接し、該マグネット９によって引掛具本体３を被取付体に吸着固定する。
【００１９】
引掛部７は金属製で取付部本体８の突出部１０から下方に向かって突出して設けられ、側面視略Ｊ字状に屈曲した棒状に形成されている。引掛部７の下部は前側に突出し、該突出部分が鍵等の小物に形成された孔（図示せず）に通されることで、小物が引掛部７に懸吊される。
【００２０】
図１及び図３に示す連結体５はボス部１３ａを利用して隣り合う引掛具２同士を連結するものである。連結体５は、溝１２と略同じ長さの左右に長い矩形板状の板状部１５と、板状部１５から前方に突出する複数の嵌着部１６とで構成されている。嵌着部１６はボス部１３ａと同一ピッチで左右方向に４個設けられ、各嵌着部１６はいずれのボス部１３ａの被嵌着穴１４に対しても嵌脱自在に凹凸嵌合可能となっている。なお、引掛具本体３は、図４（ａ）のように連結体５を取り付けた状態及び図４（ｂ）のように連結体５を取り外したいずれの状態であっても同様に被取付体に取り付けられるようになっている。
【００２１】
図１のように前記複数の引掛具２を連結して引掛具ユニット１を形成するにあたって、引掛具本体３同士を連結体５で連結するには、連結体５の片側２個の嵌着部１６を一方の引掛具２において他方の引掛具２側に位置する２個の被嵌着穴１４に夫々嵌着し、該連結体５の残り２個の嵌着部１６を他方の引掛具２において一方の引掛具２側に位置する２個の被嵌着穴１４に夫々嵌着する。この連結状態では各取付部６の前面は略面一となり、両引掛具本体３間に跨って配置された連結体５は図２のように隣接する取付部６によって前方が覆われる。そして、このように連結された引掛具本体３のうちいずれかの引掛具本体３に前述と同様に連結体５を用いて他の引掛具本体３を数珠繋ぎで連結することで、複数の引掛具本体３と、隣接する引掛具本体３同士を連結する連結体５からなる引掛具ユニット１が形成される。
【００２２】
この引掛具ユニット１は左右一列に並んだ各引掛具２の取付部６によって構成される取着部１７を備えると共に、左右一列に並んだ引掛具２と同数の引掛部７を備える。該引掛具ユニット１を被取付体に取り付けるには、取着部１７が有する各マグネット９の後面を被取付体の一面に当接し、これら複数のマグネット９によって取着部１７を被取付体に吸着固定する。
【００２３】
このように被取付体に取り付けられた引掛具ユニット１は多数の引掛部７を備えるため、引っ掛ける小物が多数ある場合や小物を分類して引っ掛ける場合等に便利である。また、この引掛具ユニット１の各引掛具２は隣接する引掛具２に嵌着された嵌着部１６を被嵌着穴１４から取り外すことで、隣接する引掛具２から分離することができる。このため、引掛具ユニット１を複数の引掛具２に分離して、前述した単独の引掛具２としても利用することができ、引っ掛ける小物が少数である場合にも適している。また、これら複数の引掛具２を連結体５で連結してまとめて保管することもできる。
【００２４】
なお、本例の引掛具ユニット１の取着部１７及び引掛具２の取付部６はマグネット９の磁力により被取付体に取り付けられるものとしたが、接着シート等のその他の取付手段によって被取付体に取り付けられるものであってもよく、この場合、マグネット９が吸着しない材料からなる被取付体にも引掛具ユニット１や引掛具２を取り付けることができる。また、引掛具ユニット１は２個又は４個以上の引掛具２で構成されるものであってもよい。また、各引掛部７は各引掛具２に一つだけ設けたが、引掛具２は複数の引掛部７を備えるものであってもよい。また、本例では嵌着部１６を引掛具本体３とは別体の連結体５に形成したが、嵌着部１６は引掛具本体３と一体に形成されるものであってもよい。
【符号の説明】
【００２５】
１  引掛具ユニット
２  引掛具
７  引掛部
１３  被嵌着部
１６  嵌着部
【図１】
2010284324.tif 000003
【図２】
2010284324.tif 000004
【図３】
2010284324.tif 000005
【図４】
2010284324.tif 000006